(57)【要約】
【課題】使用時に押圧部を指で押して回動させる角度が少なく、軽い力で済むという実用性と、美観的にも優れた装飾性とを兼ね備えた髪挟みを提供する。
【解決手段】枢軸（３）により開閉自在に連結された一対の挟子（１，２）が、使用時に使用者の頭部に近接せしめられる側の全長に亘ってそれぞれ複数本の円弧状櫛歯（１４，１５，２４，２５）を有し、当該円弧状櫛歯の先端域は、上記枢軸（３）を中心とする円筒面と略同じ曲率で湾曲せしめられ、枢軸部に設けたスプリング（４）により両挟子の円弧状櫛歯が閉じる方向へ付勢され、当該スプリング力に抗して両挟子の円弧状櫛歯を設けた側とは反対側の押圧部（１１，２１）を掴み押すことにより両挟子の円弧状櫛歯が開離して開くと共に、両挟子の円弧状櫛歯が閉じたときは、両挟子の円弧状櫛歯の先端域が互いに重なり合うように構成されたことを特徴とする。
【選択図】図１
0003100570.tif 000002
【実用新案登録請求の範囲】
【請求項１】
　枢軸（３）により開閉自在に連結された一対の挟子（１，２）が、使用時に使用者の頭部に近接せしめられる側の全長に亘ってそれぞれ複数本の円弧状櫛歯（１４，１５，２４，２５）を有し、当該円弧状櫛歯の先端域は、上記枢軸（３）を中心とする円筒面と略同じ曲率で湾曲せしめられ、枢軸部に設けたスプリング（４）により両挟子の円弧状櫛歯が閉じる方向へ付勢され、当該スプリング力に抗して両挟子の円弧状櫛歯を設けた側とは反対側の押圧部（１１，２１）を掴み押すことにより両挟子の円弧状櫛歯が開離して開くと共に、両挟子の円弧状櫛歯が閉じたときは、両挟子の円弧状櫛歯の先端域が互いに重なり合うように構成されたことを特徴とする髪挟み。
【考案の詳細な説明】
【技術分野】
【０００１】
　本考案は、髪挟みの改良に関し、特に、従来公知の髪挟みに比べて、使用のため開くときに押圧部を指で押して回動させる角度が少なくてすみ、美観的にも優れた髪挟みに関するものである。
　より具体的には、本考案に係る髪挟みは、枢軸により開閉自在に連結された一対の挟子が、使用時に使用者の頭部に近接せしめられる側の全長に亘ってそれぞれ複数本の円弧状櫛歯を有し、当該円弧状櫛歯の先端域は、上記枢軸を中心とする円筒面と略同じ曲率で湾曲せしめられ、枢軸部に設けたスプリングにより両挟子の円弧状櫛歯が閉じる方向へ付勢され、当該スプリング力に抗して両挟子の円弧状櫛歯を設けた側とは反対側の押圧部を掴み押すことにより両挟子の円弧状櫛歯が開離して開くと共に、両挟子の円弧状櫛歯が閉じたときは、両挟子の円弧状櫛歯の先端域が互いに重なり合うように構成されたことを特徴とするものであり、使用のため開くときに押圧部を指で押して回動させる角度が少なくてすみ、そのため、押圧部が外側に張り出すこともなく、美観的にも優れた髪挟みに関するものである。
【背景技術】
【０００２】
　人類の歴史上、髪挟みは、頭髪を束ねると共に、髪飾りの目的で日常生活上の必需品として広く利用されており、現代においても世界中で民族的特徴を有する装身具として各種各様のものが用いられている。即ち、頭髪用の装飾品は人類にとって極めて重要であり、女性においてはその本来の美しさを更に引き立てるための必要不可欠の装身具となっている。また、そのような装飾的効果のみならず、髪型を確実に固定するという実用的機能も重要であり、単に髪を挟むもの、巻いた髪を止めるもの、髪を束ねて保持するもの、等々、さまざまな面で改良が加えられた新製品が絶えず開発され続けている。そのような実用性と装飾性とを兼ね備えた髪挟みとしては、一般的に、二枚の挟子で髪を挟むように構成したものが女性に広く利用されている。
【０００３】
　上記の如く、髪挟みについては多数の改良考案がなされており、花紋や図柄等に関する装飾上のもののほか、使い勝手や髪の固定性能に関するものが種々存在するが、装飾性と実用性とを兼ね備えた改良というものは必ずしも多くはない。
【０００４】
　従来公知の髪挟みの一般的構造は、図７及び図８に示す如く、一対の挟子５，６と、枢軸７と、スプリング８とから構成され、上記挟子５，６の上縁域は押圧部５１，６１として延び出ている。一対の挟子５，６の内面の中間位置には、透孔を有する突片５２，６２が形成されると共に、下方へ延びる櫛歯５３，６３が形成されている。この髪挟みは、枢軸７を、挟子５，６の突片５２，６２の透孔と、スプリング８とに挿通して固定することにより組み立てられる。
　頭髪を挟み固定するために使用するときは、上記挟子５，６の上縁域の押圧部５１，６１を指で持ち、押し掴むと、挟子５，６の下半部の櫛歯５３，６３が互いに開離して、毛髪を挟める状態になる。
【０００５】
　上記の如き従来公知の髪挟みは、下記のような欠点を有している。
　１．下半部の櫛歯５３，６３が閉じたときは、図示する如く、櫛歯５３と６３が互いに交差した状態となるので、多くの毛髪を挟めるように櫛歯５３，６３を充分に開くためには、押圧部５１，６１を大きな角度範囲で回動させる必要があり、押圧部５１，６１を指で押し掴むとき強い力を必要とする。
　２．押圧部５１，６１を大きな角度範囲で回動させるために、櫛歯５３，６３が閉じているときは、押圧部５１，６１が外側へ張り出し、全体的な美観を損なう。
【考案の開示】
【考案が解決しようとする課題】
【０００６】
　本考案は、上記の如き従来公知の髪挟みの欠点を解決するためなされたものであり、その目的とするところは、使用時に押圧部を指で押して回動させる角度が少なくて軽い力で済むという実用性に加えて、美観的にも優れた装飾性を兼ね備えた髪挟みを提供することにある。
【課題を解決するための手段】
【０００７】
　上記の問題点を解決するため、本考案に係る髪挟みは; 
　枢軸により開閉自在に連結された一対の挟子が、使用時に使用者の頭部に近接せしめられる側の全長に亘ってそれぞれ複数本の円弧状櫛歯を有し、当該円弧状櫛歯の先端域は、上記枢軸を中心とする円筒面と略同じ曲率で湾曲せしめられ、枢軸部に設けたスプリングにより両挟子の円弧状櫛歯が閉じる方向へ付勢され、当該スプリング力に抗して両挟子の円弧状櫛歯を設けた側とは反対側の押圧部を掴み押すことにより両挟子の円弧状櫛歯が開離して開くと共に、両挟子の円弧状櫛歯が閉じたときは、両挟子の円弧状櫛歯の先端域が互いに重なり合うように構成されたことを特徴とする。
【考案の効果】
【０００８】
　上記の如き構成であると、両挟子の円弧状櫛歯の先端域が互いに重なり合うような状態で閉じているので、押圧部を押して少しの角度回動させるだけで、円弧状櫛歯の先端間が充分に開くものであり、従ってまた、押圧部を外側へ大きく突出させる必要がないので、嵩ばらず、櫛歯が円弧状で全体的に丸く一体的な外観を有するため、美観的にも優れた髪挟みを提供し得るものである。
【考案を実施するための最良の形態】
【０００９】
　以下、図面を参照しつゝ本考案を実施するための最良の形態について具体的に説明する。
【００１０】
　図１は、本考案に係る髪挟みの一実施例の分解斜視図、
　図２は、図１に示す髪挟みを組み立て、完成した状態を示す外観斜視図、
　図３は、図２に示す髪挟みの中央位置における軸直角断面図、
　図４は、図２に示す髪挟みの押圧部における軸平行断面図、
　図５は、本考案に係る髪挟みが閉じた状態でその押圧部を指で持った状態を示す軸直角断面図、
　図６は、本考案に係る髪挟みの押圧部を掴み押して、円弧状櫛歯を開いた状態を示す軸直角断面図である。
【００１１】
　　図１及び図２に示す如く、本考案に係る髪挟みは、左側及び右側挟子１，２と、枢軸３と、スプリング４と、から構成されている。左側及び右側挟子１，２は、円弧状に湾曲して形成され、その上縁域は押圧部１１，１２として構成されている。左側及び右側挟子１，２には、それぞれ突片１２，２２が形成され、各突片には透孔１３，２３がそれぞれ明けられている。左側及び右側挟子１，２の下半領域（使用時に使用者の頭部に近接せしめられる領域）には、内側へ向けて湾曲した複数本の円弧状櫛歯１４，１５，２４，２５がそれぞれ形成されている。
【実施例】
【００１２】
　上記髪挟みを組み立てる際は、左側及び右側挟子１，２の突片１２，２２に明けた透孔１３，２３と、スプリング４とに枢軸３を挿通し、固定することによって完成する。
　使用時には、図５に示す如く、左側及び右側挟子１，２の上縁域の押圧部１１，１２を指で軽く押し掴むと、左側及び右側挟子１，２の下半領域の円弧状櫛歯１４，１５，２４，２５が外側へ向けて開き、図６に示すように、髪を束ねることができる状態になる。即ち、押圧部１１，１２を指で軽く押し掴むという簡便な操作で使用できるものであり、従来公知の髪挟みの押圧部が外側へ大きく突出する欠点を解消できる。
【産業上の利用可能性】
【００１３】
　本考案は、上記の如く構成されるから、本考案によるときは、従来公知の髪挟みに比べて、下記のような利点を有する髪挟みを提供し得るものである。
　１．本考案に係る髪挟みの両挟子の円弧状櫛歯の先端域は、枢軸を中心とする円筒面と略同じ曲率で湾曲せしめられ、これが閉じたときに、両挟子の円弧状櫛歯の先端域が互いに重なり合うように構成されているため、使用時には、押圧部を指で軽く押し掴むだけで、円弧状櫛歯の先端域が大きく開いて使用可能な状態になる。
　２．従来公知の髪挟みのように、押圧部が外側へ大きく突出させる必要がないので、嵩ばらず、包装材の節約になる。
　３．櫛歯が円弧状で、全体的に丸く一体的な外観を有するため、美観的にも優れている。
【００１４】
　なお、本考案は上記実施例に限定されるものではなく、その目的の範囲内において、上記の説明から当業者が容易に想到し得るすべての変更実施例を包摂するものである。
【図面の簡単な説明】
【００１５】
【図１】本考案に係る髪挟みの一実施例の分解斜視図である。
【図２】図１に示す髪挟みを組み立て、完成した状態を示す外観斜視図である。
【図３】図２に示す髪挟みの中央位置における軸直角断面図である。
【図４】図２に示す髪挟みの押圧部における軸平行断面図である。
【図５】本考案に係る髪挟みが閉じた状態でその押圧部を指で持った状態を示す軸直角断面図である。
【図６】本考案に係る髪挟みの押圧部を掴み押して、円弧状櫛歯を開いた状態を示す軸直角断面図である。
【図７】従来公知の髪挟みの一例を示す斜視図である。
【図８】図７に示す従来公知の髪挟みの側面図である。
【符号の説明】
【００１６】
　１　　左側挟子
　１１　押圧部
　１２　突片
　１３　透孔
　１４　円弧状櫛歯
　１５　円弧状櫛歯
　２　　右側挟子
　２１　押圧部
　２２　突片
　２３　透孔
　２４　円弧状櫛歯
　２５　円弧状櫛歯
　３　　枢軸
　４　　スプリング
　５　　左側挟子
　５１　押圧部
　５２　突片
　５３　櫛歯
　６　　右側挟子
　６１　押圧部
　６２　突片
　６３　櫛歯
【図１】
0003100570.tif 000003
【図２】
0003100570.tif 000004
【図３】
0003100570.tif 000005
【図４】
0003100570.tif 000006
【図５】
0003100570.tif 000007
【図６】
0003100570.tif 000008
【図７】
0003100570.tif 000009
【図８】
0003100570.tif 000010